(57)【要約】【課題】交流電源電圧を昇圧して直流電圧を出力することができ、力率を改善することができる直流電源装置を提供する。【解決手段】交流電源を入力とし、交流電源に接続した第１の全波整流ダイオードブリッジ回路と、第１の全波整流ダイオードブリッジ回路の各交流入力端子にそれぞれ第１、第２のコンデンサを介して交流入力端子を接続するとともに第１の全波整流ダイオードブリッジ回路の正極出力端子に負極端子を接続した第２の全波整流ダイオードブリッジ回路と、第１の全波整流ダイオードブリッジ回路の出力端子間に第３のコンデンサとを備え、第２の全波整流ダイオードブリッジ回路の正極出力端子と第１の全波整流ダイオードブリッジ回路の負極出力端子を負荷接続用の出力端子としたことを特徴とする直流電源装置。【選択図】図１
2008206221.tif 000002
【特許請求の範囲】
【請求項１】
交流電源を入力とし、前記交流電源に接続した第１の全波整流ダイオードブリッジ回路と、前記第１の全波整流ダイオードブリッジ回路の各交流入力端子にそれぞれ第１、第２のコンデンサを介して交流入力端子を接続するとともに前記第１の全波整流ダイオードブリッジ回路の正極出力端子に負極端子を接続した第２の全波整流ダイオードブリッジ回路と、前記第１の全波整流ダイオードブリッジ回路の出力端子間に第３のコンデンサとを備え、前記第２の全波整流ダイオードブリッジ回路の正極出力端子と前記第１の全波整流ダイオードブリッジ回路の負極出力端子とを負荷接続用の出力端子とすることを特徴とする直流電源装置。
【請求項２】
請求項１記載の直流電源装置において、前記交流電源と前記第１の全波整流ダイオードブリッジ回路との間に、リアクトルを挿入することを特徴とする直流電源装置。
【請求項３】
交流電源を入力とし、前記交流電源に接続した第１の全波整流ダイオードブリッジ回路と、前記第１の全波整流ダイオードブリッジ回路に接続された２つ以上の全波整流ダイオードブリッジ回路を備え、前記２つ以上の全波整流ダイオードブリッジ回路の交流入力端子は、前段の全波整流ダイオードブリッジ回路の交流入力端子にそれぞれコンデンサを介して接続されるとともに、前記２つ以上の全波整流ダイオードブリッジ回路の負極出力端子は、前段の全波整流ダイオードブリッジ回路の正極出力端子に接続され、前記前段の全波整流ダイオードブリッジ回路の各々の正極出力端子と前記第１の全波整流ダイオードブリッジ回路の負極出力端子との間にそれぞれコンデンサを接続し、最終段の全波整流ダイオードブリッジ回路の正極出力端子と前記第１の全波整流ダイオードブリッジ回路の負極出力端子とを負荷接続用の出力端子とすることを特徴とする直流電源装置。
【請求項４】
交流電源を入力とする圧縮機であって、モータと、前記モータを駆動するモータ駆動用インバータ制御装置と、交流電源を直流に変換する直流電源装置とを備え、前記直流電源装置は、請求項１から３のいずれか１項に記載の直流電源装置であることを特徴とする圧縮機。
【請求項５】
交流電源を入力とする圧縮機を備えた空気調和機であって、前記圧縮機のモータを駆動するモータ駆動用インバータ制御装置と、交流電源を直流に変換する直流電源装置とを備え、前記直流電源装置は、請求項１から３のいずれか１項に記載の直流電源装置であることを特徴とする空気調和機。
【請求項６】
交流電源を入力とする圧縮機を備えた冷蔵庫であって、前記圧縮機のモータを駆動するモータ駆動用インバータ制御装置と、交流電源を直流に変換する直流電源装置とを備え、前記直流電源装置は、請求項１から３のいずれか１項に記載の直流電源装置であることを特徴とする冷蔵庫。
【発明の詳細な説明】
【技術分野】
【０００１】
本発明は、交流電源電圧を昇圧して直流電圧を出力することができる直流電源装置に関する。
【背景技術】
【０００２】
従来、この種の直流電源装置として、倍電圧整流回路が使用されてきた。
【０００３】
図６は、従来の倍電圧整流回路の一例を示すブロック図である。この倍電圧整流回路１１は、交流電源１の出力電圧を整流する全波整流ダイオードブリッジ回路１２と、交流電源１と前記全波整流ダイオードブリッジ回路１２との間に直列に接続された力率改善用リアクタ５と、前記全波整流ダイオードブリッジ回路１２に並列に接続された直列接続の２つの電解コンデンサ１５及び１６と、前記電解コンデンサ１５及び１６に並列に接続された電解コンデンサ１７とを有している。
【０００４】
ここで、倍電圧整流回路１１の入力端子１ａ及び１ｂは、上記交流電源１の出力端子に接続されている。全波整流ダイオードブリッジ回路１２は、倍電圧整流回路１１の出力端子１ｃ及び１ｄ間に直列に接続された２つのダイオード１２ａ及び１２ｂからなり、前記両ダイオード１２ａ及び１２ｂの接続点１２ｃは、力率改善用リアクタ５を介して、全波倍電圧回路１１の一方の入力端子１ａに接続されている。
【０００５】
また、全波倍電圧回路１１の他方の入力端子１ｂには電解コンデンサ１５及び１６の接続点が接続されており、前記各電解コンデンサ１５及び１６にはそれぞれ並列に保護ダイオード１３及び１４が接続されている。
【０００６】
このような倍電圧整流回路では、交流電源１の他端をグランド電位と仮定すると、交流電源１の一端が正電位になると電流はダイオード１２ａ及び電解コンデンサ１５の経路で流れ、電解コンデンサ１５が充電される。
【０００７】
次に交流電源１の一端が負電位に反転すると電流は今度は電解コンデンサ１６及びダイオード１２ｂの経路で流れ、電解コンデンサ１６が充電する。この充電により直列接続された電解コンデンサ１５及び１６の両端に発生した交流電源１の倍電圧は、電解コンデンサ１７により平滑され、倍電圧整流回路の出力端子１ｃ及び１ｄ間には、平滑された倍電圧が発生する。
【０００８】
さらに、全波倍電圧回路には、効率を向上させるため、直列接続のダイオードの整流出力により充電される倍電圧用コンデンサに金属化フィルムコンデンサを使用し、ブリッジダイオード回路を２個並列に接続した全波倍電圧整流回路（例えば、特許文献１参照）も考えられている。
【０００９】
また、入力電源の力率を向上させ、かつ入力電圧を昇圧する方法として、特許文献２のような直流電源装置も考えられている。
【００１０】
図７は、特許文献２に示される直流電源装置を説明するブロック図である。
【００１１】
この直流電源装置は、交流電源１と、この交流電源１に１対の交流入力端子をそれぞれ接続した第１の全波整流ダイオードブリッジ回路２０と、この第１の全波整流ダイオードブリッジ回路２０に接続された１又は複数段の倍電圧整流回路からなり、倍電圧整流回路
は、前段の全波整流ダイオードブリッジ回路の各交流入力端子にそれぞれコンデンサを介して１対の交流入力端子を接続すると共に前段の全波整流ダイオードブリッジ回路の正極出力端子に負極出力端子を接続した全波整流ダイオードブリッジ回路で形成され、最終段における倍電圧整流回路の全波整流ダイオードブリッジ回路の正極出力端子と第１の全波整流ダイオードブリッジ回路２０の負極出力端子を負荷接続用の出力端子とし、倍電圧整流回路のコンデンサへの充電経路に電流位相遅延素子（図示せず）を挿入したものである。
【００１２】
このような直流電源装置では、例えば倍電圧整流回路を１個接続した場合で考えると、交流電源の半サイクルにおいて電源電圧の立上がりと共に倍電圧整流回路２１の一方のコンデンサＣ１、倍電圧整流回路２１の第２の全波整流ダイオードブリッジ回路２２及び第１の全波整流ダイオードブリッジ回路２０を介して電流が流れ、負荷４には交流電源電圧と倍電圧整流回路の一方のコンデンサの充電電位Ｃ１との和の電圧が印加される。
【００１３】
このとき一方のコンデンサＣ１の充電電荷は放電されることになる。そして交流電源電圧が他方のコンデンサＣ２に残っている電位よりも高くなるとその他方のコンデンサＣ２に第１の全波整流ダイオードブリッジ回路２０及び第２の全波整流ダイオードブリッジ回路２２を介して充電電流が流れる。こうして一方のコンデンサＣ１が放電して負荷に電流が流れるとき同時に他方のコンデンサＣ２が充電されることになる。
【００１４】
その後交流電源電圧がピーク値を過ぎ、他方のコンデンサＣ２の電位よりも交流電源電圧が低くなると他方のコンデンサＣ２への充電は停止される。さらに交流電源電圧が低下し、その電圧と一方のコンデンサＣ１の電位との和の電圧が交流電源電圧のピーク値よりも低くなると、それまで交流電源電圧のピーク値を保持していた他方のコンデンサＣ２から倍電圧整流回路２１の第２の全波整流ダイオードブリッジ回路２２及び第１の全波整流ダイオードブリッジ回路２０を介して負荷４に放電電流が流れるようになる。こうして交流電源の半サイクルにおける動作が終了する。
【００１５】
また、交流電源の次の半サイクルにおいては上記動作と丁度逆の動作を行うようになる。すなわち倍電圧整流回路２１における一方のコンデンサＣ１と他方のコンデンサＣ２の動作が逆になる。このようにして交流電源の各半サイクルにおいて負荷４に交流電源１からの電流を直接流す部分を多くすることができる。さらに、電流位相遅延素子によってコンデンサを充電するときに電流の位相遅延作用が働く。
【００１６】
従って、負荷４に対して交流電源１から直接電流を流すことができ、コンデンサＣ１，Ｃ２に頼る部分を極力少なくしているので、電源電圧に対して電源電流はそれ程進相とならず高力率が得られる。
【特許文献１】特開２００１−２１１６５１号公報
【特許文献２】特許第２６９０３６３号公報
【発明の開示】
【発明が解決しようとする課題】
【００１７】
しかしながら、図６に示す従来の倍電圧整流回路１１では、交流電源１の印加電圧位相に対して供給される電流の位相が進相となる。これは交流電源１から電流が供給されるとき、電源電圧が増加する場合だけダイオード１２ａ、１２ｂを介して電流が流れてコンデンサ１５および１６に充電され、電源電圧がピーク値を過ぎた後はダイオードによって電流経路が断たれるためである。
【００１８】
さらに交流電源から電流が流れる経路はダイオードとコンデンサだけであり、負荷４へは直接に電流を流さない。そして負荷４に供給される電流はコンデンサＣ１、及びＣ２に
蓄えられた電荷の放電電流だけである。
【００１９】
従って、これらの現象によって電源から見た場合の実効電力（Ｗ）に対し、皮相電力（ＶＡ）が大きくなり高力率が得られない。また、力率を改善するために電流位相を遅らせる目的で、力率改善用のリアクタ５を挿入しているが、この回路では十分に力率を改善できない問題があった。
【００２０】
また、図７に示す従来の直流電源装置では、負荷４に対して交流電源１から直接電流を流す部分を多くすることができるが、交流電源１から電流を流せない期間が存在し、十分に力率を改善できない問題があった。
【００２１】
そこで本発明は、常に交流電源から電流を流すことができ、かつ力率改善用のリアクタを用いず、高力率が得られる直流電源装置を得ることを目的とする。
【課題を解決するための手段】
【００２２】
上記課題を解決するために、本発明の直流電源装置は、交流電源を入力とし、前記交流電源に接続した第１の全波整流ダイオードブリッジ回路と、前記第１の全波整流ダイオードブリッジ回路の各交流入力端子にそれぞれ第１、第２のコンデンサを介して交流入力端子を接続するとともに前記第１の全波整流ダイオードブリッジ回路の正極出力端子に負極端子を接続した第２の全波整流ダイオードブリッジ回路と、前記第１の全波整流ダイオードブリッジ回路の出力端子間に第３のコンデンサとを備え、前記第２の全波整流ダイオードブリッジ回路の正極出力端子と前記第１の全波整流ダイオードブリッジ回路の負極出力端子とを負荷接続用の出力端子とすることを特徴とするものである。
【発明の効果】
【００２３】
本発明によれば、力率改善用リアクタを用いることなく、高力率を得ることができる直流電源装置、及びこれを用いた圧縮機、空気調和機、冷蔵庫を提供できる。
【発明を実施するための最良の形態】
【００２４】
本願請求項１に係る発明は、交流電源を入力とし、前記交流電源に接続した第１の全波整流ダイオードブリッジ回路と、前記第１の全波整流ダイオードブリッジ回路の各交流入力端子にそれぞれ第１、第２のコンデンサを介して交流入力端子を接続するとともに前記第１の全波整流ダイオードブリッジ回路の正極出力端子に負極端子を接続した第２の全波整流ダイオードブリッジ回路と、前記第１の全波整流ダイオードブリッジ回路の出力端子間に第３のコンデンサとを備え、前記第２の全波整流ダイオードブリッジ回路の正極出力端子と前記第１の全波整流ダイオードブリッジ回路の負極出力端子の間に負荷接続用の出力端子とすることを特徴とする直流電源装置である。
【００２５】
これによって、常に交流電源１から直接電流を流すことができ、コンデンサに頼る部分を極力少なくすることができるので、電源電圧に対して電源電流はそれ程進相とならず高力率を得ることができる。
【００２６】
本願請求項２に係る発明は、前記交流電源と前記第１の全波整流ダイオードブリッジ回路との間に、リアクトルを挿入することを特徴とする請求項１に記載の直流電源装置である。
【００２７】
これによって、コンデンサを充電する場合に、電流の位相遅延作用が働き、電源電流はさらに高力率を得ることができる。
【００２８】
本願請求項３に係る発明は、交流電源を入力とし、前記交流電源に接続した第１の全波
整流ダイオードブリッジ回路と、前記第１の全波整流ダイオードブリッジ回路に接続された２つ以上の全波整流ダイオードブリッジ回路を備え、前記２つ以上の全波整流ダイオードブリッジ回路の交流入力端子は、前段の全波整流ダイオードブリッジ回路の交流入力端子にそれぞれコンデンサを介して接続されるとともに、前記２つ以上の全波整流ダイオードブリッジ回路の負極出力端子は、前段の全波整流ダイオードブリッジ回路の正極出力端子に接続され、前記前段の全波整流ダイオードブリッジ回路の各々の正極出力端子と前記第１の全波整流ダイオードブリッジ回路の負極出力端子との間にそれぞれコンデンサを接続し、最終段の全波整流ダイオードブリッジ回路の正極出力端子と前記第１の全波整流ダイオードブリッジ回路の負極出力端子とを負荷接続用の出力端子とすることを特徴とする直流電源装置である。
【００２９】
これによって、負荷に対して複数倍の電圧を印加させることができ、また電源電流の力率を改善することもできる。
【００３０】
本願請求項４に係る発明は、交流電源を入力とする圧縮機であって、モータと、前記モータを駆動するモータ駆動用インバータ制御装置と、交流電源を直流に変換する直流電源装置とを備え、前記直流電源装置は、請求項１から３のいずれか１項に記載の直流電源装置であることを特徴とするものである。
【００３１】
これによって、常に交流電源１から直接電流を流すことができ、コンデンサに頼る部分を極力少なくすることができるので、電源電圧に対して電源電流はそれ程進相とならず高力率を得ることができる。
【００３２】
本願請求項５に係る発明は、交流電源を入力とする圧縮機を備えた冷蔵庫であって、前記圧縮機のモータを駆動するモータ駆動用インバータ制御装置と、交流電源を直流に変換する直流電源装置とを備え、前記直流電源装置は、請求項１から３のいずれか１項に記載の直流電源装置であることを特徴とするものである。
【００３３】
これによって、常に交流電源１から直接電流を流すことができ、コンデンサに頼る部分を極力少なくすることができるので、電源電圧に対して電源電流はそれ程進相とならず高力率を得ることができる。
【００３４】
本願請求項６に係る発明は、交流電源を入力とする圧縮機を備えた空気調和機であって、前記圧縮機のモータを駆動するモータ駆動用インバータ制御装置と、交流電源を直流に変換する直流電源装置とを備え、前記直流電源装置は、請求項１から３のいずれか１項に記載の直流電源装置であることを特徴とするものである。
【００３５】
これによって、常に交流電源１から直接電流を流すことができ、コンデンサに頼る部分を極力少なくすることができるので、電源電圧に対して電源電流はそれ程進相とならず高力率を得ることができる。
【００３６】
以下、本発明の実施の形態について説明する。
【００３７】
（実施の形態１）
図１は、本発明の第１の実施の形態による直流電源装置を示すブロック図である。
【００３８】
この実施の形態１の直流電源装置は、交流電源１を入力とし、交流電源１の出力端子１ａ、１ｂに接続したダイオードＤ１〜Ｄ４からなる第１の全波整流ダイオードブリッジ回路２と、第１の全波整流ダイオードブリッジ回路２の各交流入力端子にそれぞれ第１、第２のコンデンサＣ１、Ｃ２を介して交流入力端子を接続するとともに第１の全波整流ダイ
オードブリッジ回路２の正極出力端子に負極端子を接続したダイオードＤ５〜Ｄ８からなる第２の全波整流ダイオードブリッジ回路３と、第１の全波整流ダイオードブリッジ回路２の出力端子間に第３のコンデンサＣ３とを備えている。また、第２の全波整流ダイオードブリッジ回路３の正極出力端子と第１の全波整流ダイオードブリッジ回路２の負極出力端子の間に負荷４を接続している。
【００３９】
図２に、本発明の第１の実施の形態による直流電源装置の動作波形図を示している。詳しくは、（ａ）交流電源電圧波形、（ｂ）負荷印加電圧波形、（ｃ）交流電源電流波形、（ｄ）コンデンサＣ１、（ｅ）コンデンサＣ２、（ｆ）コンデンサＣ３の電流波形を示している。以下、動作に関して詳しく説明する。
【００４０】
図１の構成の本実施の形態においては、交流電源１の出力端子１ａが他端子１ｂよりも電位が高い場合、電源電流は、交流電源の出力端子１ａ→コンデンサＣ１→ダイオードＤ５→負荷４→コンデンサＣ３→ダイオードＤ８→コンデンサＣ２→交流電源１の出力端子１ｂの経路で流れる。この時、負荷４には、コンデンサＣ１、Ｃ３の充電電圧と交流電源との和からコンデンサＣ２を差し引いた電圧が印加される。このときＣ１、Ｃ３からは放電電流が流れ、Ｃ２には充電電流が流れる。
【００４１】
交流電源電圧が高くなり、コンデンサＣ２の電位よりも高くなると、交流電源１の出力端子１ａ→ダイオードＤ１→ダイオードＤ８→コンデンサＣ２→交流電源１の出力端子１ｂの経路で電流が流れ、コンデンサＣ２が充電される。
【００４２】
やがて、コンデンサＣ２の電位がコンデンサＣ１の電位よりも高くなると、交流電源１の出力端子１ａ→ダイオードＤ１→コンデンサＣ３→ダイオードＤ４の経路で電流が流れ、コンデンサＣ３が充電される。この時、負荷４には、コンデンサＣ１の充電電位と交流電源電圧との和の電圧が印加される。
【００４３】
その後、コンデンサＣ３の充電電位（コンデンサＣ２の充電電位と等しい）が交流電源電圧のピーク値を過ぎると、交流電源４がコンデンサＣ３およびコンデンサＣ２の充電電位よりも低くなるため、コンデンサＣ３、Ｃ２への充電は停止されるので、充電電流は流れない。
【００４４】
そして、電源電流は、交流電源の出力端子１ａ→コンデンサＣ１→ダイオードＤ５→負荷４→ダイオードＤ４→交流電源４の出力端子１ｂの経路で負荷４のみに流れるようになる。負荷４へ電流が流れることでコンデンサＣ１の電荷は放電され充電電位は低下する。
【００４５】
さらに交流電源電圧が低下して、交流電源電圧とコンデンサＣ１の電位の和が交流電源電圧のピーク値よりも低くなると、交流電源電圧のピーク値と等しかったコンデンサＣ２、Ｃ３から放電しだし、交流電源１の出力端子１ｂ→コンデンサＣ２→ダイオードＤ７→負荷４→コンデンサＣ３→ダイオードＤ６→コンデンサＣ１の経路で放電電流が流れる。この時、コンデンサＣ１には充電電流が流れる。
【００４６】
また、負荷４には、コンデンサＣ２、Ｃ３の充電電位の和から、交流電源電圧、コンデンサＣ１の電位を指し引いた電圧が印加される。これで、交流電源１の出力端子１ａが正となる反サイクルの動作が終了する。
【００４７】
続いて、次の半サイクルでは、交流電源１の出力端子１ｂの電位が他端子１ａよりも高くなる。このとき、前述の半サイクルとは逆の動作を行う。電源電流は、交流電源１の出力端子１ｂ→コンデンサＣ２→ダイオードＤ７→負荷４→コンデンサＣ３→ダイオードＤ６→コンデンサＣ１→交流電源１の出力端子１ａの経路で流れる。この時、負荷４には、
コンデンサＣ２、Ｃ３の充電電圧と交流電源との和からコンデンサＣ１を差し引いた電圧が印加される。このときＣ２、Ｃ３からは放電電流が流れ、Ｃ１には充電電流が流れる。
【００４８】
交流電源電圧が高くなり、コンデンサＣ１の電位よりも高くなると、交流電源１の出力端子１ｂ→ダイオードＤ３→ダイオードＤ６→コンデンサＣ１→交流電源１の出力端子１ａの経路で電流が流れ、コンデンサＣ１が充電される。
【００４９】
やがて、コンデンサＣ１の電位がコンデンサＣ２の電位よりも高くなると、交流電源１の出力端子１ｂ→ダイオードＤ３→コンデンサＣ３→ダイオードＤ２の経路で電流が流れ、コンデンサＣ３が充電される。この時、負荷４には、コンデンサＣ２の充電電位と交流電源電圧との和の電圧が印加される。
【００５０】
その後、コンデンサＣ３の充電電位（コンデンサＣ１の充電電位と等しい）が交流電源電圧のピーク値を過ぎると、交流電源がコンデンサＣ３およびコンデンサＣ１の充電電位よりも低くなるため、コンデンサＣ３、Ｃ１への充電は停止されるので、充電電流は流れない。
【００５１】
そして、電源電流は、交流電源１の出力端子１ｂ→コンデンサＣ２→ダイオードＤ７→負荷４→ダイオードＤ２→交流電源１の出力端子１ａの経路で負荷４のみに流れるようになる。負荷４へ電流が流れることでコンデンサＣ２の電荷は放電され充電電位は低下する。
【００５２】
さらに交流電源電圧が低下して、交流電源電圧とコンデンサＣ２の電位の和が交流電源電圧のピーク値よりも低くなると、交流電源電圧のピーク値と等しかったコンデンサＣ１、Ｃ３から放電しだし、交流電源１の出力端子１ａ→コンデンサＣ１→ダイオードＤ５→負荷４→コンデンサＣ３→ダイオードＤ８→コンデンサＣ２の経路で放電電流が流れる。
【００５３】
この時、コンデンサＣ２には充電電流が流れる。また、負荷４には、コンデンサＣ１、Ｃ３の充電電位の和から、交流電源電圧、コンデンサＣ２の電位を指し引いた電圧が印加される。これで、交流電源１の出力端子１ｂが正となる次の半サイクルの動作が終了する。
【００５４】
以上の動作が半サイクル毎に繰り返されることにより、負荷４に対して常に電流が供給されることになる。従って、負荷４に対して交流電源から直接電流を流す部分を多くすることができ、交流電源１から常に電流を流せる状態となり、力率を改善することができる。
【００５５】
（実施の形態２）
図３は、本発明の第２の実施の形態による直流電源装置を示すブロック図である。
【００５６】
これは、交流電源１の出力端子１ａと第１の全波整流ダイオードブリッジ回路２との間に力率改善用のリアクトル５を接続したものである。すなわち、コンデンサＣ１、Ｃ２、Ｃ３および負荷への電流経路に、リアクトル５が挿入されたことになる。尚、リアクトル５の位置は、交流電源１の出力端子１ｂと第１の全波整流ダイオードブリッジ回路２との間でも構わない。また交流電源１の出力端子１ａ、１ｂの各々と第１の全波整流ダイオードブリッジ回路２との間にそれぞれリアクトル５を接続したものであっても構わない。
【００５７】
図４は、本発明の第２の実施の形態による直流電源装置の動作波形図を示している。詳しくは、（ａ）交流電源電圧波形、（ｂ）負荷印加電圧波形、（ｃ）交流電源電流波形、（ｄ）コンデンサＣ１、（ｅ）コンデンサＣ２、（ｆ）コンデンサＣ３の電流波形を示し
ている。図４からもわかるように、上記リアクトル５により、電源電流位相を電圧位相に近づけることができるので、さらに力率を改善することができる。
【００５８】
（実施の形態３）
図５は、本発明の第３の実施の形態による直流電源装置を示すブロック図である。
【００５９】
この実施の形態３の直流電源装置は、交流電源１を入力とし、交流電源１の出力端子１ａ、１ｂに接続したダイオードＤ１〜Ｄ４からなる第１の全波整流ダイオードブリッジ回路２と、第１の全波整流ダイオードブリッジ回路２の各交流入力端子にそれぞれ第１、第２のコンデンサＣ１、Ｃ２を介して交流入力端子を接続するとともに、第１の全波整流ダイオードブリッジ回路２の正極出力端子に負極出力端子を接続したダイオードＤ５〜Ｄ８からなる第２の全波整流ダイオードブリッジ回路３を備えている。
【００６０】
また、第２の全波整流ダイオードブリッジ回路３の各交流入力端子にそれぞれ、第４、第５のコンデンサＣ１１、Ｃ１２を介して交流入力端子を接続するとともに、第２の全波整流ダイオードブリッジ回路３の正極出力端子に負極出力端子を接続したダイオードＤ９〜Ｄ１２からなる第３の全波整流ダイオードブリッジ回路６を備えている。
【００６１】
以下同様にして、後段の全波整流ダイオードブリッジ回路の交流入力端子が前段の全波整流ダイオードブリッジ回路の交流入力端子にコンデンサを介して接続される。さらに、前段の全波整流ダイオードブリッジ回路の正極出力端子と後段の全波整流ダイオードブリッジ回路の負極出力端子とを接続し、その接続箇所と、第１の全波整流ダイオードブリッジ回路２の負極出力端子との間にコンデンサが接続されている。
【００６２】
具体的には、第１の全波整流ダイオードブリッジ回路２の正極出力端子と第２の全波整流ダイオードブリッジ回路３の負極出力端子との接続箇所と、第１の全波整流ダイオードブリッジ回路２の負極出力端子との間には第３のコンデンサＣ３が接続されている。また、最終段の全波整流ダイオードブリッジ回路７（ダイオードＤ１３〜Ｄ１６）の正極出力端子と、第１の全波整流ダイオードブリッジ回路２の負極出力端子との間に負荷４が接続されている。
【００６３】
このように、全波整流ダイオードブリッジ回路を直列に接続することで、負荷４に対して電源電圧の複数倍の電圧を印加させることが可能となる。
【００６４】
また、本実施の形態の直流電源装置においても、負荷４に対して交流電源１から直接電流を流すことができ、さらに、前段の全波整流ダイオードブリッジ回路の正極出力端子と後段の全波整流ダイオードブリッジ回路の負極出力端子との接続箇所と、第１の全波整流ダイオードブリッジ回路２の負極出力端子との間に接続されたコンデンサ（Ｃ３、・・・、Ｃ２３）により、常に交流電源１から電流を流すことができるようになるので、全波整流ダイオードブリッジ間に接続されたコンデンサ（Ｃ１、Ｃ２、・・・、Ｃ２１、Ｃ２２）などに頼る部分を極力少なくしているので、交流電源電圧に対して電源電流はそれ程進相とならず高力率が得られる。
【産業上の利用可能性】
【００６５】
以上のように、本発明にかかる直流電源装置は、電源電流の力率を改善することができる。さらに、力率改善リアクトルが無くても、比較的高い力率を得ることができるので、直流電源装置の小型化を図ることができる。
【００６６】
従って、本発明の直流電源装置は、交流電源を入力とし、モータを駆動するモータ駆動用インバータ制御装置とを備えた圧縮機、その圧縮機を備えた冷蔵庫、空気調和機等に適
用できる。いずれの製品についても、本発明の直流電源装置を用いることで、直流電源装置の省エネ、もしくは小型化を図ることができる。
【図面の簡単な説明】
【００６７】
【図１】本発明の実施の形態１による直流電源装置を示すブロック図
【図２】本発明の実施の形態１による直流電源装置の動作を示す波形図
【図３】本発明の実施の形態２による直流電源装置を示すブロック図
【図４】本発明の実施の形態２による直流電源装置の動作を示す波形図
【図５】本発明の実施の形態３による直流電源装置を示すブロック図
【図６】従来の全波倍電圧回路のブロック図
【図７】従来の直流電源装置を示すブロック図
【符号の説明】
【００６８】
１  交流電源
２、３、６、７  全波整流ダイオードブリッジ回路
４  負荷
５  リアクトル
Ｃ１、Ｃ２、Ｃ３、Ｃ１１、Ｃ１２、Ｃ１３、Ｃ２１、Ｃ２２、Ｃ２３  コンデンサ
Ｄ１〜Ｄ１６  ダイオード
【図１】
2008206221.tif 000003
【図２】
2008206221.tif 000004
【図３】
2008206221.tif 000005
【図４】
2008206221.tif 000006
【図５】
2008206221.tif 000007
【図６】
2008206221.tif 000008
【図７】
2008206221.tif 000009